(57)【要約】【課題】優れた潤滑性および耐熱性を有する冷凍機油用エステル潤滑油を提供する。【解決手段】冷凍機油用エステルは、下記の成分（Ａ）、成分（Ｂ）、成分（Ｃ）および成分（Ｄ）から得られ、成分（Ａ）由来の構成成分１．０モルに対して、成分（Ｂ）由来の構成成分０．１〜０．４モル、成分（Ｃ）由来の構成成分０．８〜２．８モルおよび成分（Ｄ）由来の構成成分０．３〜２．３モルの比率である。エステルのヒドロキシル価が５〜４０ｍｇＫＯＨ／ｇであり、式（１）および式（２）を満たす。（Ａ）ネオペンチルグリコール；（Ｂ）炭素数２〜６で両末端の炭素にヒドロキシル基を有する直鎖状の２価アルコール；（Ｃ）炭素数４〜１０で両末端の炭素にカルボキシル基を有する直鎖状の２価カルボン酸；（Ｄ）炭素数６〜１２の１価アルコール０．０８ ≦ ＢOH／（ＡOH＋ＢOH）≦ ０．１５  ・・・（１）〔ＢOH／（ＡOH＋ＢOH）〕／〔Ｂmol／（Ａmol＋Ｂmol）〕 ≦ ０．９  ・・・（２）  ＡOHは、エステル中の成分（Ａ）由来の末端ヒドロキシル基のモル数  ＢOHは、エステル中の成分（Ｂ）由来の末端ヒドロキシル基のモル数  Ａmolは、エステル中の成分（Ａ）由来の構成成分のモル数  Ｂmolは、エステル中の成分（Ｂ）由来の構成成分のモル数【選択図】            なし【特許請求の範囲】
【請求項１】
下記成分（Ａ）、成分（Ｂ）、成分（Ｃ）および成分（Ｄ）から得られる冷凍機油用エステルであって、
前記エステル中の前記成分（Ａ）由来の構成成分１．０モルに対して、前記成分（Ｂ）由来の構成成分０．１〜０．４モル、前記成分（Ｃ）由来の構成成分０．８〜２．８モルおよび前記成分（Ｄ）由来の構成成分０．３〜２．３モルの比率であり、
前記エステルのヒドロキシル価が５〜４０ｍｇＫＯＨ／ｇであり、式（１）および式（２）を満たすことを特徴とする、冷凍機油用エステル。
（Ａ）  ネオペンチルグリコール
（Ｂ）  炭素数２〜６で両末端の炭素にヒドロキシル基を有する直鎖状の２価アルコール
（Ｃ）  炭素数４〜１０で両末端の炭素にカルボキシル基を有する直鎖状の２価カルボン酸
（Ｄ）  炭素数６〜１２の１価アルコール
０．０８ ≦ ＢOH／（ＡOH＋ＢOH）≦ ０．１５  ・・・（１）
〔ＢOH／（ＡOH＋ＢOH）〕／〔Ｂmol／（Ａmol＋Ｂmol）〕 ≦ ０．９
・・・（２）
（前記式（１）および前記式（２）において、
ＡOHは、前記エステル中の前記成分（Ａ）由来の末端ヒドロキシル基のモル数であり、
ＢOHは、前記エステル中の前記成分（Ｂ）由来の末端ヒドロキシル基のモル数であり、
Ａmolは、前記エステル中の前記成分（Ａ）由来の構成成分のモル数であり、
Ｂmolは、前記エステル中の前記成分（Ｂ）由来の構成成分のモル数である）
【請求項２】
非塩素系フロン冷媒または自然冷媒と、請求項１記載の冷凍機油用エステルとを含有することを特徴とする、冷凍機油用作動流体組成物。
【発明の詳細な説明】
【技術分野】
【０００１】
本発明は、優れた潤滑性および耐熱性を有する冷凍機油用エステルに関する。また、非塩素系フロン冷媒または自然冷媒を含有する冷凍機油用作動流体組成物に使用されることを特徴とする冷凍機油用エステルに関する。
【背景技術】
【０００２】
ルームエアコン、パッケージエアコンなどの空調機器、家庭用冷凍冷蔵庫などの低温機器、産業用冷凍機、およびハイブリッドカー、電気自動車などのカーエアコンには、オゾン層の破壊などの原因となる、塩素を含むフロン冷媒に代えて、１，１，１，２−テトラフルオロエタン（Ｒ−１３４ａ）、ペンタフルオロエタン（Ｒ−１２５）、ジフルオロメタン（Ｒ−３２）とＲ−１２５の混合冷媒であるＲ−４１０Ａなどハイドロフルオロカーボン（ＨＦＣ）が冷媒として使用されている【０００３】
しかし、上述したＨＦＣ冷媒はオゾン層破壊係数がゼロであるものの、地球温暖化係数（ＧＷＰ）が１０００以上と高い。そのため、温室効果の低減を目的とした規制の対象となっており、使用が制限されてくることからＧＷＰの低い冷媒の使用が検討されている。例えばＧＷＰが４である２，３，３，３−テトラフルオロプロペン（ＨＦＯ−１２３４ｙｆ）や、ＧＷＰが６７５であるＲ−３２の単独使用などへの転換が進められている。【０００４】
低ＧＷＰのＨＦＣ冷媒への転換が進むに従い、これら低ＧＷＰ冷媒との相溶性が高いポリオールエステルを基油とする冷凍機油用エステルが種々提案されている。また、代替冷媒候補のうちＲ−３２、またはＲ−３２を含む混合冷媒など圧力が高くなる冷媒使用時は、コンプレッサーでの吐出温度が高くなり、コンプレッサー内の潤滑条件がより厳しくなることから、潤滑性および安定性を向上した冷凍機油用エステルが提案されている。【０００５】
例えば、特許文献１には、Ｒ−３２を含む混合冷媒の使用に伴い、熱的に厳しい環境で運転されるコンプレッサーにおいても高い安定性を有するエステルとして、ペンタエリスリトールと２−エチルヘキサン酸および３，５，５−トリメチルヘキサン酸とからなるエステルを主成分とした冷凍機油用潤滑油が開示されている。
また、ハイドロカーボン（ＨＣ）冷媒の場合は、ＨＣ分子内に潤滑性を高めるフッ素がない事から、ＨＦＣ冷媒等のように冷媒による潤滑性向上効果が期待できず、さらにＨＣ冷媒への冷凍機油への溶解度が高く、油の粘度を下げることから、潤滑条件がさらに厳しくなる。特許文献２には、このような厳しい潤滑条件においても優れた潤滑性および優れた耐熱性を有するコンプレックスエステルが提案されており、１，４−ブタンジオールを原料に用いることで潤滑性が向上すること、１価のアルコールを原料に用いることで耐熱性が向上することが開示されている。
【先行技術文献】
【特許文献】
【０００６】
【特許文献１】特開平１０−８０８４号公報
【特許文献２】ＷＯ２０１４／０１７５９６
【発明の概要】
【発明が解決しようとする課題】
【０００７】
しかしながら、冷凍機油を使用した機器のコンパクト化（１台あたりの冷凍機油使用量の減少）や省エネルギー化（インバーター制御による圧縮機の稼働時間の伸張）が進むことで、冷凍機油の使用条件はさらに過酷になっている。そのため、圧縮機の摺動部における摩擦熱によって、局部的に高温条件下に晒された冷凍機油が熱分解し、生成した分解物が金属部材を腐食したり、樹脂材料に悪影響を与える可能性があることから、より過酷な条件下においても優れた潤滑性および熱安定性を示す冷凍機油用エステルの開発が求められている。【０００８】
本発明の課題は、優れた潤滑性および耐熱性を有する冷凍機油用エステル潤滑油を提供することにある。
【課題を解決するための手段】
【０００９】
本発明者らは、上記課題を解決するために鋭意検討を行なった結果、特定の２価アルコール、２価カルボン酸、１価アルコールを構成成分とするエステルが、優れた潤滑性および耐熱性を有することを見出し、本発明を完成するに至った。【００１０】
すなわち、本発明は、以下のものである。
（１）  下記成分（Ａ）、成分（Ｂ）、成分（Ｃ）および成分（Ｄ）から得られる冷凍機油用エステルであって、
前記エステル中の前記成分（Ａ）由来の構成成分１．０モルに対して、前記成分（Ｂ）由来の構成成分０．１〜０．４モル、前記成分（Ｃ）由来の構成成分０．８〜２．８モルおよび前記成分（Ｄ）由来の構成成分０．３〜２．３モルの比率であり、
前記エステルのヒドロキシル価が５〜４０ｍｇＫＯＨ／ｇであり、式（１）および式（２）を満たすことを特徴とする。
（Ａ）  ネオペンチルグリコール
（Ｂ）  炭素数２〜６で両末端の炭素にヒドロキシル基を有する直鎖状の２価アルコール
（Ｃ）  炭素数４〜１０で両末端の炭素にカルボキシル基を有する直鎖状の２価カルボン酸
（Ｄ）  炭素数６〜１２の１価アルコール
０．０８ ≦ ＢOH／（ＡOH＋ＢOH）≦ ０．１５  ・・・（１）
〔ＢOH／（ＡOH＋ＢOH）〕／〔Ｂmol／（Ａmol＋Ｂmol）〕 ≦ ０．９
・・・（２）
（前記式（１）および前記式（２）において、
ＡOHは、前記エステル中の前記成分（Ａ）由来の末端ヒドロキシル基のモル数であり、
ＢOHは、前記エステル中の前記成分（Ｂ）由来の末端ヒドロキシル基のモル数であり、
Ａmolは、前記エステル中の前記成分（Ａ）由来の構成成分のモル数であり、
Ｂmolは、前記エステル中の前記成分（Ｂ）由来の構成成分のモル数である）
（２）  非塩素系フロン冷媒または自然冷媒と、（１）の冷凍機油用エステルとを含有することを特徴とする、冷凍機油用作動流体組成物。
【００１１】
また、前記冷凍機油用エステルを得るには、好ましくは、成分（Ａ）、成分（Ｂ）、成分（Ｃ）および成分（Ｄ）を１００〜１５０℃の温度で１次エステル化反応に供し、次いで１５０℃〜２５０℃の温度で２次エステル化反応に供する。
【発明の効果】
【００１２】
本発明の冷凍機油用エステルは、高い耐熱性を有するため、熱安定性が特に要求される冷凍空調機器のコンプレッサーに好適に用いることができる。また、本発明の冷凍機油用エステルは、非塩素系フロン冷媒や自然冷媒との相溶性が高いため、これら冷媒を含有する冷凍機用作動流体組成物に好適に用いることができる。
【発明を実施するための形態】
【００１３】
以下、本発明の冷凍機油用エステルについて説明する。
なお、本明細書において記号「〜」を用いて規定された数値範囲は「〜」の両端（上限および下限）の数値を含むものとする。例えば「２〜５」は「２以上、５以下」を表す。
【００１４】
本発明の冷凍機油用エステルは、ネオペンチルグリコール（成分（Ａ））と、炭素数２〜６で両末端の炭素にヒドロキシル基を有する直鎖状の２価アルコール（成分（Ｂ））と、炭素数４〜１０で両末端の炭素にカルボキシル基を有する直鎖状の２価カルボン酸（成分（Ｃ））と、炭素数６〜１２の１価アルコール（成分（Ｄ））とを混合し、エステル化反応させることで得られる。
【００１５】
なお、成分（Ａ）、成分（Ｂ）、成分（Ｃ）および成分（Ｄ）の用語は便宜的な総称であり、各成分に属する化合物が一種類であってもよく、または各成分に属する化合物が二種類以上であってもよい。各成分に二種類以上の化合物が含まれる場合には、各成分の量は、その成分に属する二種類以上の化合物の合計量とする。
【００１６】
本発明で使用される成分（Ａ）のネオペンチルグリコールとしては、工業的に入手可能なネオペンチルグリコールを使用することができ、ネオペンチルグリコールの形状として、固体状もしくは水で希釈された液状のものを使用する事ができる。
【００１７】
成分（Ｂ）は、炭素数２〜６で両末端の炭素にヒドロキシル基を有する直鎖状の２価アルコールであり、具体的にはエチレングリコール、１，３−プロパンジオール、１，４−ブタンジオール、１，５ペンタンジオール、１，６−ヘキサンジオールなどが挙げられる。好ましくは直鎖状の２価飽和アルコールであり、１，４−ブタンジオールを用いることがとくに好ましい。成分（Ｂ）によって、粘度指数、低温安定性、潤滑性において優れたエステルを得ることができる。
【００１８】
成分（Ｃ）は、炭素数４〜１０で両末端の炭素にカルボキシル基を有する直鎖状の２価カルボン酸であり、具体的にはコハク酸（炭素数４）、グルタル酸（炭素数５）、アジピン酸（炭素数６）、ピメリン酸（炭素数７）、スベリン酸（炭素数８）、アゼライン酸（炭素数９）、セバシン酸（炭素数１０）などが挙げられる。直鎖状の炭素数６〜８の２価飽和カルボン酸を用いることが好ましい。成分（Ｃ）によって、粘度指数と低温安定性において優れたエステルを得ることができる。
【００１９】
成分（Ｄ）は、炭素数６〜１２の１価アルコールであり、これらは直鎖アルコール、分岐アルコールのいずれであっても良い。具体的には１−ヘキサノール、１−ヘプタノール、１−オクタノール、１−ノナノール、１−デカノール、１−ウンデカノール、１−ドデカノール、２−エチルヘキサノール、３，５，５−トリメチルヘキサノールなどが挙げられる。好ましくは炭素数６〜１０の飽和分岐アルコールであり、低温安定性に優れたエステルを得ることができる。特に２−エチルヘキサノール、３，５，５−トリメチルヘキサノールを用いることが好ましい。
【００２０】
本発明の冷凍機油用エステルは、成分（Ａ）由来の構成成分１．０モルに対して、成分（Ｂ）由来の構成成分０．１〜０．４モル、成分（Ｃ）由来の構成成分０．８〜２．８モル、成分（Ｄ）由来の構成成分０．３〜２．３モルの比率で構成された冷凍機油用エステルである。
【００２１】
成分（Ａ）由来の構成成分１．０モルに対して、成分（Ｂ）由来の構成成分の量が０．１モルを下回ると、所望粘度指数および潤滑性が得られ難く、０．４モルを超えると、エステルの低温安定性が悪化する。好ましくは、成分（Ａ）由来の構成成分１．０モルに対して、成分（Ｂ）由来の構成成分の量を０．１〜０．３モルとすることができる。
【００２２】
成分（Ａ）由来の構成成分１．０モルに対して成分（Ｃ）由来の構成成分の量が０．８モルを下回ると、高い粘度指数が得られ難く、２．８を超えると、潤滑性が得られ難くなる。成分（Ａ）由来の構成成分１．０モルに対して成分（Ｃ）由来の構成成分の量を０．９モル以上とすることが好ましく、また、２．３モル以下とすることが好ましい。
【００２３】
成分（Ａ）由来の構成成分１．０モルに対して成分（Ｄ）由来の構成成分の量を０．３〜２．３モルとすると、冷凍機油用として好適な粘度のエステルが得られやすくなる。成分（Ａ）由来の構成成分１．０モルに対して成分（Ｄ）由来の構成成分の量を０．５モル以上とすることが好ましく、また２．１モル以下とすることが好ましい。
【００２４】
上述した各構成成分のモル比率は、ガスクロマトグラフィーにより分析して算出する。エステル０．１gをトルエン／メタノール（８０ｗｔ％／２０ｗｔ％）混合溶媒５ｇで希釈し、次いで２８％ナトリウムメトキシドメタノール溶液（和光純薬工業（株））を０．３ｇ加え、６０℃にて３０分静置することにより、エステルを加メタノール分解する。得られたエステル分解溶液をガスクロマトグラフィーで分析し、得られた成分（Ａ）、成分（Ｂ）成分（Ｃ）、成分（Ｄ）のピーク面積比をモル比へ換算することによって、算出することができる。なお、各成分単独のガスクロマトグラフィーを分析することで、エステル分解物の成分を同定することができる。
【００２５】
本発明のエステルは、各成分（Ａ）、（Ｂ）、（Ｃ）、（Ｄ）由来の構成成分のモル比率を調整することによって、成分（Ｃ）のカルボキシル基が成分（Ａ）、（Ｂ）または（Ｄ）によって封鎖されるように合成したエステルであり、末端構造が成分（Ｄ）由来のアルキル基であるエステルの他、マイナー成分としてエステルの末端構造が成分（Ａ）由来のヒドロキシル基、成分（Ｂ）由来のヒドロキシル基であるエステルが含まれる。
【００２６】
本発明のエステルの具体的な末端構造の一例として、式（３）、（４）、（５）を用いて説明する。式（３）は、エステルの末端に成分（Ｄ）由来のアルキル基を有する構造であり、式（４）はエステルの末端に成分（Ａ）由来のヒドロキシル基を有する構造であり、式（５）はエステルの末端に成分（Ｂ）由来のヒドロキシル基を有する構造である。
【００２７】
【化１】
2016199718.tif 000002
【００２８】
【化２】
2016199718.tif 000003
【００２９】
【化３】
2016199718.tif 000004
【００３０】
ｍは１〜５の整数であり、Ｒ1は成分（Ｄ）由来のアルキル基を示している。
【００３１】
このような構造設計とすることによって、冷凍機油として使用した際に、加水分解や熱分解を起こしにくく、安定性に優れたエステルとすることができる。
【００３２】
本発明の冷凍機油用エステルは、式（１）および式（２）を満たす。
０．０８ ≦ ＢOH／（ＡOH＋ＢOH）≦ ０．１５  ・・・（１）
（ＡOHは、エステル中の成分（Ａ）由来の末端ヒドロキシル基のモル数であり、
ＢOHは、エステル中の成分（Ｂ）由来の末端ヒドロキシル基のモル数である。）
式（１）は、エステル中の成分（Ａ）由来の末端ヒドロキシル基と成分（Ｂ）由来の末端ヒドロキシル基の合計に対する成分（Ｂ）由来の末端ヒドロキシル基のモル比率を表している。
【００３３】
〔ＢOH／（ＡOH＋ＢOH）〕／〔Ｂmol／（Ａmol＋Ｂmol）〕 ≦ ０．９
・・・（２）
（ＡOHは、エステル中の成分（Ａ）由来の末端ヒドロキシル基のモル数であり、
ＢOHは、エステル中の成分（Ｂ）由来の末端ヒドロキシル基のモル数であり、
Ａmolは、エステル中の成分（Ａ）由来の構成成分のモル数であり、
Ｂmolは、エステル中の成分（Ｂ）由来の構成成分のモル数である。）
【００３４】
式（２）の分子は、［ＢOH／（ＡOH＋ＢOH）］であるが、これは式（１）に示したものであり、エステル中における成分（Ａ）由来の末端ヒドロキシル基と成分（Ｂ）由来の末端ヒドロキシル基の合計に対する成分（Ｂ）由来の末端ヒドロキシル基のモル比率を表している。
一方、式（２）の分母は、［Ｂmol／（Ａmol＋Ｂmol）］であるが、これはエステル中の成分（Ａ）由来の構成成分と成分（Ｂ）由来の構成成分との合計に対する成分（Ｂ）由来の構成成分のモル比率を表している。
【００３５】
ゆえに、式（２）は、エステル中の成分（Ｂ）由来の構成成分のモル比率に対して、成分（Ｂ）由来の末端ヒドロキシル基のモル比率がどの程度小さくなっているかを表しており、言い換えると、エステル全体構造に対する末端構造における（Ｂ）成分の偏在度合いを表している。
【００３６】
なお、式（１）（２）の各数値は以下のようにして測定する。
（式（１）の数値および式（２）の分子の数値：ＢOH／（ＡOH＋ＢOH））
1Ｈ-ＮＭＲスペクトルの内、成分（Ａ）由来のヒドロキシル基に対するα水素のピーク（３．２〜３．４ｐｐｍ）の積分値と、成分（Ｂ）由来のヒドロキシル基に対するα水素のピーク（３．６〜３．８ｐｐｍ）の積分値を求め、各積分値の和によって、成分（Ｂ）由来のヒドロキシル基に対するα水素の積分値を除することで算出した。
【００３７】
（式（２）の分母の数値：Ｂmol／（Ａmol＋Ｂmol））
前記のガスクロマトグラフィー分析により成分（Ａ）および成分（Ｂ）由来の各構成成分のモル数を求め、モル比率を算出した。
【００３８】
成分（Ａ）は、β炭素に水素が結合していない（β水素が存在しない）ため、エステル構造末端で生ずる末端ヒドロキシル基については、成分（Ａ）由来の末端構造は成分（Ｂ）由来の末端構造と比較して耐熱性に優れている。すなわち、成分（Ａ）由来のエステル構造末端がより多く存在するエステルは、そうでないエステルと比較して耐熱性に優れている。この結果、全ヒドロキシル基に占める成分（Ｂ）由来のヒドロキシル基のモル比率を０．１５以下とすることによって、より優れた耐熱性を有するエステルとすることができる。成分（Ａ）由来の末端ヒドロキシル基と成分（Ｂ）由来の末端ヒドロキシル基の合計に対する成分（Ｂ）由来の末端ヒドロキシル基のモル比率が０．０８〜０．１５において潤滑性と耐熱性に優れたエステルが得られやすい。この観点からは、前記モル比率は、０．０９以上が更に好ましく、また、０．１４以下が更に好ましい。
【００３９】
さらに、エステル中の成分（Ｂ）由来の構成成分のモル比率に対して、成分（Ｂ）由来の末端ヒドロキシル基のモル比率が小さくなるように偏在させたエステルは、耐熱性により優れたものとなる。末端構造における（Ｂ）成分の偏在度合いは、エステル中の成分（Ｂ）由来の構成成分のモル比率に対する成分（Ｂ）由来の末端ヒドロキシル基のモル比率により表すことができ、その値を０．９以下とすることで、より耐熱性に優れたエステルを得ることができる。この値は、０．９以下とするが、０．８以下とすることが更に好ましい。また、この値の下限は特にないが、０．２以上とすることが好ましく、０．３以上とすることがより好ましく、０．５以上とすることが更に好ましい。
【００４０】
本発明のエステルは、エステル中の成分（Ａ）由来の構成成分と成分（Ｂ）由来の構成成分の和に対する成分（Ｂ）由来の構成成分のモル比に対して、エステル中の全ヒドロキシル基に占める成分（Ｂ）由来のヒドロキシル基のモル比率を低減したエステルであり、上述した理由により、式（１）および式（２）を満足するエステルは、さらに耐熱性に優れたエステルとなる。
【００４１】
エステルの製造に際しては、まず上記成分（Ａ）、成分（Ｂ）、成分（Ｃ）および成分（Ｄ）を適切な反応器に全て仕込み、常圧、窒素雰囲気にてエステル化反応を行なう。エステル化反応は、効率よく反応生成水を除去するために通常１５０〜２５０℃で行なうことができる。しかし、より優れた耐熱性を有するエステルを得るという観点から、まず１００〜１５０℃にて１次エステル化反応を行なう。その後、１５０℃〜２５０℃にて２次エステル化反応を行なう。
【００４２】
この１次エステル化反応は、好ましくは１００〜１４０℃、さらに好ましくは１００〜１３０℃で行なうことによって、耐熱性に優れたエステルが得られやすくなる。また、１次エステル化反応は、好ましくは１〜１０時間、さらに好ましくは２〜８時間とすることで耐熱性に優れたエステルが得られやすくなる。
【００４３】
２次エステル化反応は、好ましくは１６０〜２６０℃、さらに好ましくは１８０〜２５０℃で行なうことが好ましい。この時、酸価が１０ｍｇＫＯＨ／ｇ以下、好ましくは５ｍｇＫＯＨ／ｇ以下、さらに好ましくは２ｍｇＫＯＨ／ｇとなるまで２次エステル化反応を行なう。
また、エステル化反応はブレンステッド酸触媒やルイス酸触媒を使用してもよいが、無触媒で行なうことが好ましい。
【００４４】
エステル化反応後、過剰な成分（Ｄ）を減圧下で留去し、粗エステルを得る。さらに粗エステルを吸着剤にて精製処理することにより、目的の冷凍機油用エステルを得ることができる。
【００４５】
本発明の冷凍機油用エステルの４０℃における動粘度は、好ましくは、２０〜５００ｍｍ２／ｓである。より好ましくは２０〜３００ｍｍ２／ｓであり、さらに好ましくは２０〜２５０ｍｍ２／ｓ、最も好ましくは２０〜１８０ｍｍ２／ｓである。またヒドロキシル価は、好ましくは５〜４０ｍｇＫＯＨ／ｇであり、さらに好ましくは１５〜３５ｍｇＫＯＨ／ｇである。
【００４６】
本発明の冷凍機油用エステルは、単独で基油として使用することもできるし、その他の基油と混合して使用することもできる。また、公知の添加剤、例えばフェノール系の酸化防止剤、ベンゾトリアゾール、チアジアゾールまたはジチオカーバメートなどの金属不活性化剤、エポキシ化合物またはカルボジイミドなどの酸捕捉剤、リン系の極圧剤などの添加剤を目的に応じて適宜配合することができる。
【００４７】
本発明の冷凍機油用エステルは、非塩素系フロン冷媒や自然冷媒との相溶性が高いため、これら冷媒を含有する冷凍機用作動流体組成物に好適に用いることができる。非塩素系フロン冷媒としては、ハイドロフルオロカーボン（ＨＦＣ）、ハイドロフルオロオレフィン（ＨＦＯ）、ハイドロカーボン（ＨＣ）や自然冷媒の単体、またはそれらの混合物が挙げられる。
【００４８】
ハイドロフルオロカーボン（ＨＦＣ）冷媒の具体的な例としては、１，１，１，２−テトラフルオロエタン（Ｒ−１３４ａ）、ペンタフルオロエタン（Ｒ−１２５）、ジフルオロエタン（Ｒ−３２）、トリフルオロメタン（Ｒ−２３）、１，１，２，２−テトラロフルオロエタン（Ｒ−１３４）、１，１，１−トリフルオロエタン（Ｒ−１４３ａ）、１，１−ジフルオロエタン（Ｒ−１５２ａ）等のいずれかの１種または２種以上の混合物であることが好ましい。上記混合冷媒としては、例えばＲ−４０７Ｃ（Ｒ−１３４ａ／Ｒ−１２５／Ｒ−３２＝５２／２５／２３質量％）、Ｒ−４１０Ｒ（Ｒ−１２５／Ｒ−３２＝５０／５０質量％）、Ｒ−４０４Ａ（Ｒ−１２５／Ｒ−１４３／Ｒ−１３４ａ＝４４／５２／４質量％）、Ｒ−４０７Ｅ（Ｒ−１３４ａ／Ｒ−１２５／Ｒ−３２＝６０／１５／２５質量％）、Ｒ−４１０Ｂ（Ｒ−３２／Ｒ−１２５＝４５／５５質量％）などが挙げられる。これらの中でも、特にＲ−１３４ａ及びＲ−３２の少なくとも一種を含む冷媒が好ましく、単一のＲ−３２冷媒がさらに好ましく挙げられる。
【００４９】
ハイドロフルオロオレフィン（ＨＦＯ）冷媒の具体的な例としては、１，２，３，３，３−ペンタフルオロプロペン（ＨＦＯ−１２２５ｙｅ）、１，３，３，３−テトラフルオロプロペン（ＨＦＯ−１２３４ｚｅ）、２，３，３，３−テトラフルオロプロペン（ＨＦＯ−１２３４ｙｆ）、１，２，３，３−テトラフルオロプロペン（ＨＦＯ−１２３４ｙｅ）、および３，３，３−トリフルオロプロペン（ＨＦＯ−１２４３ｚｆ）等のいずれかの１種または２種以上の混合物であることが好ましい。冷媒物性の観点からは、ＨＦＯ−１２２５ｙｅ、ＨＦＯ−１２３４ｚｅおよびＨＦＯ−１２３４ｙｆから選ばれる１種又は２種以上であることが好ましい。
【００５０】
また、ハイドロカーボン（ＨＣ）冷媒としてはプロパン（Ｒ２９０）やイソブタン（Ｒ６００ａ）等やそれらの混合物が挙げられ、自然冷媒としては、アンモニアや二酸化炭素等が挙げられる。とくに、Ｒ２９０、Ｒ６００および二酸化炭素が好ましく挙げられる。
【００５１】
冷凍機油用作動流体組成物は、通常、本発明による冷凍機油用エステルと非塩素系フロン冷媒もしくは自然冷媒との質量比が、１０：９０から９０：１０である。冷媒の質量比がこの範囲にあれば、作動流体組成物が適度な粘性を有するので、潤滑性に優れ、かつ冷凍効率も高いものとなり好ましい。
【実施例】
【００５２】
以下、実施例により本発明を更に詳細に説明するが、本発明は下記実施例に制限されるものではない。【００５３】
なお実施例および比較例で得られた冷凍機油用エステルの各種分析は、以下の方法に従って分析した。
酸価：  ＪＩＳ  Ｋ２５０１に準拠して測定した。
水酸基価：  ＪＩＳ  Ｋ００７０に準拠して測定した。
動粘度：  ＪＩＳ  Ｋ２２８３に準拠して測定した。
【００５４】
実施例１の製造
ネオペンチルグリコール１２４ｇ（１．１９ｍｏｌ）、１，４−ブタンジオール３０ｇ（０．３４ｍｏｌ）、アジピン酸３５５ｇ（２．４３ｍｏｌ）、３，５，５−トリメチルヘキサノール３３９ｇ（２．３５ｍｏｌ）を４つ口フラスコに仕込み、窒素雰囲気下、１２０℃で反応水を留去しつつ常圧で３時間反応を行なった。その後、２００℃で酸価が２以下となるまで反応を７時間継続した。ついで、２００℃、１〜５ｋＰａの減圧下にて過剰な３，５，５−トリメチルヘキサノールを留去し、粗エステルを得た。粗エステルを冷却し、これに酸性白土およびシリカ−アルミナ系の吸着剤を、それぞれ理論上得られるエステル量の１．０質量％となるように添加して吸着処理した。吸着処理温度、圧力、および吸着処理時間は１００℃、１〜５ｋＰａ、２時間とした。最後に１ミクロンのフィルターを用いて濾過を行い、目的のエステルを得た。【００５５】
実施例２の製造
ネオペンチルグリコール１８０ｇ（１．７３ｍｏｌ）、１，４−ブタンジオール２５ｇ（０．２８ｍｏｌ）、アジピン酸３６０ｇ（２．４７ｍｏｌ）、３，５，５−トリメチルヘキサノール２５６ｇ（１．７８ｍｏｌ）を４つ口フラスコに仕込み、窒素雰囲気下、１１５℃で反応水を留去しつつ常圧で４時間反応を行なった。以降の工程は実施例１と同様にして行い目的のエステルを得た。【００５６】
実施例３の製造
ネオペンチルグリコール２０５ｇ（１．９７ｍｏｌ）、１，４−ブタンジオール２６ｇ（０．２８ｍｏｌ）、アジピン酸３７３ｇ（２．５５ｍｏｌ）、３，５，５−トリメチルヘキサノール２１７ｇ（１．５０ｍｏｌ）を４つ口フラスコに仕込み、窒素雰囲気下、１２５℃で反応水を留去しつつ常圧で３時間反応を行なった。以降の工程は実施例１と同様にして行い目的のエステルを得た。【００５７】
実施例４の製造
ネオペンチルグリコール１７４ｇ（１．６６ｍｏｌ）、１，４−ブタンジオール４６ｇ（０．５１ｍｏｌ）、アジピン酸３７３ｇ（２．５５ｍｏｌ）、３，５，５−トリメチルヘキサノール２３８ｇ（１．６５ｍｏｌ）を４つ口フラスコに仕込み、窒素雰囲気下、１２０℃で反応水を留去しつつ常圧で４時間反応を行なった。以降の工程は実施例１と同様にして行い目的のエステルを得た。【００５８】
実施例５の製造
ネオペンチルグリコール１２９ｇ（１．２３ｍｏｌ）、１，５−ペンタンジオール２８ｇ（０．２６ｍｏｌ）、スベリン酸３９３ｇ（２．２５ｍｏｌ）、ｎ−オクタノール３００ｇ（２．３０ｍｏｌ）を４つ口フラスコに仕込み、窒素雰囲気下、１２０℃で反応水を留去しつつ常圧で５時間反応を行なった。以降の工程は実施例１と同様にして行い目的のエステルを得た。【００５９】
実施例６の製造
ネオペンチルグリコール２１５ｇ（２．０７ｍｏｌ）、１，３−プロパンジオール２２ｇ（０．２９ｍｏｌ）、アジピン酸３８５ｇ（２．６４ｍｏｌ）、３，５，５−トリメチルヘキサノール２１４ｇ（１．４９ｍｏｌ）を４つ口フラスコに仕込み、窒素雰囲気下、１２０℃で反応水を留去しつつ常圧で４時間反応を行なった。以降の工程は実施例１と同様にして行い目的のエステルを得た。【００６０】
実施例７の製造
ネオペンチルグリコール２１１ｇ（２．０３ｍｏｌ）、１，６−ヘキサンジオール４２ｇ（０．３６ｍｏｌ）、アジピン酸３８５ｇ（２．６４ｍｏｌ）、３，５，５−トリメチルヘキサノール２０６ｇ（１．４３ｍｏｌ）を４つ口フラスコに仕込み、窒素雰囲気下、１１５℃で反応水を留去しつつ常圧で５時間反応を行なった。以降の工程は実施例１と同様にして行い目的のエステルを得た。【００６１】
比較例１の製造
ネオペンチルグリコール１７４ｇ（１．６６ｍｏｌ）、１，４−ブタンジオール４６ｇ（０．５１ｍｏｌ）、アジピン酸３７３ｇ（２．５５ｍｏｌ）、３，５，５−トリメチルヘキサノール２３８ｇ（１．６５ｍｏｌ）を４つ口フラスコに仕込み、窒素雰囲気下、２００℃で反応水を留去しつつ酸価が２以下となるまで常圧で反応を７時間継続した。ついで、２００℃、１〜５ｋＰａの減圧下にて過剰な３，５，５−トリメチルヘキサノールを留去し、粗エステルを得た。粗エステルを冷却し、これに酸性白土およびシリカ−アルミナ系の吸着剤を、それぞれ理論上得られるエステル量の１．０質量％となるように添加して吸着処理した。吸着処理温度、圧力、および吸着処理時間は１００℃、１〜５ｋＰａ、２時間とした。最後に１ミクロンのフィルターを用いて濾過を行い、目的のエステルを得た。【００６２】
比較例２の製造
ネオペンチルグリコール１０４ｇ（１．００ｍｏｌ）、１，４−ブタンジオール２７ｇ（０．３０ｍｏｌ）、アジピン酸３５１ｇ（２．４０ｍｏｌ）を４つ口フラスコに仕込み、窒素雰囲気下、２００℃で反応水を留去しつつ常圧で、酸価が２７０以下となるまで３時間反応を行い、エステル中間体を得た。このエステル中間体に、さらに３，５，５−トリメチルヘキサノール３６１ｇ（２．５０ｍｏｌ）を添加し酸価が２以下となるまで反応を７時間継続した。ついで、２００℃、１〜５ｋＰａの減圧下にて過剰な３，５，５−トリメチルヘキサノールを留去し、粗エステルを得た。粗エステルを冷却し、これに酸性白土およびシリカ−アルミナ系の吸着剤を、それぞれ理論上得られるエステル量の１．０質量％となるように添加して吸着処理した。吸着処理温度、圧力、および吸着処理時間は１００℃、１〜５ｋＰａ、２時間とした。最後に１ミクロンのフィルターを用いて濾過を行い、目的のエステルを得た。【００６３】
耐熱性（加熱試験）
上記の冷凍機油用エステルについて加熱試験を実施することで、冷凍機油用エステルの耐熱性を評価した。耐熱性試験は空気雰囲気下、１３０℃の恒温槽内で７２時間加熱し、加熱後の冷凍機油用エステルの酸価を測定した。【００６４】
潤滑性（ＳＲＶ試験）
上記の冷凍機油用エステルについてＳＲＶ試験機にて潤滑性を評価した。ＳＲＶ試験はボール／ディスクで行い、試験片はそれぞれＳＵＪ‐２製を用いた。試験条件は試験温度６０℃、荷重１００Ｎ、振幅１ｍｍ、振動数５０Ｈｚで行い、試験時間２５ｍｉｎ経過後の摩耗痕径を測定した。【００６５】
実施例１〜７および比較例１〜２の製造条件を表１、表２にまとめ、物性値、耐熱性、潤滑性について表３、表４にまとめた。なお、表１、表２には、各成分の仕込み比率を記載しており、表３、表４には、生成したエステルにおける各成分に由来の構成成分のモル比率の測定値を記載した。【００６６】
【表１】
2016199718.tif 000005
【００６７】
【表２】
2016199718.tif 000006
【００６８】
【表３】
2016199718.tif 000007
【００６９】
【表４】
2016199718.tif 000008
【００７０】
表１〜表４に示すように、実施例１〜７のエステルは、潤滑性が優れており、かつ耐熱性にも優れていることから、コンプレッサー内の厳しい潤滑条件下においても劣化し難く長期で使用する事ができるものである。また、加熱試験での酸価上昇を抑えられていることから、コンプレッサー内の金属等の腐食原因となる分解物の発生も抑えられるものである。【００７１】
一方、比較例１〜２では、実施例のエステルと異なり酸価の上昇幅が大きいことから、実施例と比較して加熱試験によるエステルの分解が進んでいることが確認された。
【国際調査報告】
2016199718.tif 000009
2016199718.tif 000010
2016199718.tif 000011
2016199718.tif 000012